(57)【要約】【課題】  本考案は、山林業や土木業等で使用することができる通気性の優れた使い易い構造の作業衣を提供するものである。【解決手段】  本考案の作業衣は、強靭な天然繊維又は人工繊維の布地から形成され、胸ポケット１を有する前面側の前身頃２と、背中下部に矩形状布地のフリル３の上縁を縫着した後面側の後身頃４と、前記前身頃２及び後身頃４に縫着されたそれぞれの長袖５からなるものにおいて、前記フリル３部分の後身頃４個所には、背中に適宜幅で矩形の切り欠き部分を形成し、該切り欠き部分を被う細目網状のメッシュを縫着して背中メッシュ９を形成し、該背中メッシュ９を前記フリル３により被い目隠しするものである。【選択図】  図２
0003105462.tif 000002
【実用新案登録請求の範囲】
【請求項１】
強靭な天然繊維又は人工繊維の布地から形成され、胸ポケットを有する前面側の前身頃と、背中下部に矩形状布地のフリルの上縁を縫着した後面側の後身頃と、前記前身頃及び後身頃に縫着されたそれぞれの長袖からなる作業衣において、前記フリル部分の後身頃個所には、背中に適宜幅で矩形の切り欠き部分を形成し、該切り欠き部分を被う細目網状のメッシュを縫着して背中メッシュを形成し、該背中メッシュを前記フリルにより被い目隠しすることを特徴とする作業衣。
【請求項２】
強靭な天然繊維又は人工繊維の布地から形成され、胸ポケットを有する前面側の前身頃と、背中下部に矩形状布地のフリルの上縁を縫着した後面側の後身頃と、前記前身頃及び後身頃に縫着されたそれぞれの長袖からなる作業衣において、前記前身頃、後身頃及び長袖の脇の下部分に適宜幅でそれぞれ切り欠き部分を形成し、該切り欠き部分を被うように細目網状のメッシュを縫着して脇メッシュを形成することを特徴とする請求項１記載の作業衣。
【請求項３】
さらに、胸部部分の２個所には、胸布の下地に横方向に適宜幅で切り欠き部分を形成し、該切り欠き部分を被う細目網状のメッシュを縫着して胸メッシュを形成し、該胸メッシュを前記胸布により目隠しすると共に、肩部分の個所には、肩布の下地に横方向一直線に適宜幅で切り欠き部分を形成し、該切り欠き部分を被う細目網状のメッシュを縫着して肩メッシュを形成し、該肩メッシュを前記肩布により目隠しすることを特徴とする請求項１又は２記載の作業衣。
【考案の詳細な説明】
【技術分野】
【０００１】
本考案は、山林業や土木業等で使用することができる作業衣、特に通気性に優れた作業衣に関する。
【背景技術】
【０００２】
従来、山林業や土木業等で使用する作業衣は、簡単には破れない強靭な繊維材料を使用することから、布地の通気性が悪いため、汗をかいた場合には肌にベトついて気持ちが悪かった。
そこで、事務・作業服等の上着ではあるが、脇の下にスリットを設け、このスリットにメッシュを縫着し通気性を良くしたものが公知となっている（特許文献１を参照）。
しかし、この公知の上着は、軽作業を行う場合は快適であるが、大量に汗をかく重作業の場合には発汗量にあった通気性を有するものではなかった。
そのため、山林業や土木業等で使用する通気性の優れた使い易い構造の作業衣が望まれていた。
【０００３】
【特許文献１】特開平１１−６１５３６号公報
【考案の開示】
【考案が解決しようとする課題】
【０００４】
本考案は、山林業や土木業等で使用することができる通気性の優れた使い易い構造の作業衣を提供するものである。
【課題を解決するための手段】
【０００５】
本考案の作業衣は、強靭な天然繊維又は人工繊維の布地から形成され、胸ポケットを有する前面側の前身頃と、背中下部に矩形状布地のフリルの上縁を縫着した後面側の後身頃と、前記前身頃及び後身頃に縫着されたそれぞれの長袖からなるものにおいて、前記フリル部分の後身頃個所には、背中に適宜幅で矩形の切り欠き部分を形成し、該切り欠き部分を被う細目網状のメッシュを縫着して背中メッシュを形成し、該背中メッシュを前記フリルにより被い目隠しするものである。
また、本考案の作業衣は、強靭な天然繊維又は人工繊維の布地から形成され、胸ポケットを有する前面側の前身頃と、背中下部に矩形状布地のフリルの上縁を縫着した後面側の後身頃と、前記前身頃及び後身頃に縫着されたそれぞれの長袖からなるものにおいて、前記前身頃、後身頃及び長袖の脇の下部分に適宜幅でそれぞれ切り欠き部分を形成し、該切り欠き部分を被うように細目網状のメッシュを縫着して脇メッシュを形成するものである。
さらに、胸部部分の２個所には、胸布の下地に横方向に適宜幅で切り欠き部分を形成し、該切り欠き部分を被う細目網状のメッシュを縫着して胸メッシュを形成し、該胸メッシュを前記胸布により目隠しすると共に、肩部分の個所には、肩布の下地に横方向一直線に適宜幅で切り欠き部分を形成し、該切り欠き部分を被う細目網状のメッシュを縫着して肩メッシュを形成し、該肩メッシュを前記肩布により目隠しするものである。
【考案の効果】
【０００６】
本考案の作業衣によれば、後身頃の背中部分にベルト部分を被うフリルを設けているので、ベルト部分の隙間からゴミや塵が入り込むことがない。
さらに、本考案の作業衣によれば、脇メッシュ、胸メッシュ、肩メッシュ、背中メッシュのように多数のメッシュ構造を有するので、上半身全体の通気性が優れている。
【考案を実施するための最良の形態】
【０００７】
本考案の作業衣は、フリル部分の後身頃個所には、背中に適宜幅で矩形の切り欠き部分を形成し、該切り欠き部分を被う細目網状のメッシュを縫着して背中メッシュを形成し、該背中メッシュを前記フリルにより被い目隠しするものである。
また、本考案の作業衣は、前身頃、後身頃及び長袖の脇の下部分に適宜幅でそれぞれ切り欠き部分を形成し、該切り欠き部分を被うように細目網状のメッシュを縫着して脇メッシュを形成するものである。
さらに、胸部部分の２個所には、胸布の下地に横方向に適宜幅で切り欠き部分を形成し、該切り欠き部分を被う細目網状のメッシュを縫着して胸メッシュを形成し、該胸メッシュを前記胸布により目隠しする。
また、肩部分の個所には、肩布の下地に横方向一直線に適宜幅で切り欠き部分を形成し、該切り欠き部分を被う細目網状のメッシュを縫着して肩メッシュを形成し、該肩メッシュを前記肩布により目隠しするものである。
【実施例】
【０００８】
以下、本考案の一実施例を図面に基づいて説明すると、
本考案の作業衣は、図１の正面図に示すように強靭な天然繊維又は人工繊維の布地から形成され、胸ポケット１を有する前面側の前身頃２と、図２の背面図に示すように背中下部に矩形状布地のフリル３の上縁を縫着した後面側の後身頃４と、前記前身頃２及び後身頃４に縫着されたそれぞれの長袖５からなる。
前記作業衣は、両袖の脇の下部分に、すなわち前身頃２、後身頃４及び長袖５に適宜幅でそれぞれ切り欠き部分を形成し、該切り欠き部分を被うように細目網状のメッシュを縫着して脇メッシュ６を形成する。
また、図１の正面図に示すように、胸部部分の２個所には、胸布の下地に横方向に適宜幅で切り欠き部分を形成し、該切り欠き部分を被う細目網状のメッシュを縫着して胸メッシュ７を形成し、該胸メッシュ７を前記胸布により目隠しする。
さらに、図２の背面図に示すように、肩部分の個所には、肩布の下地に横方向一直線に適宜幅で切り欠き部分を形成し、該切り欠き部分を被う細目網状のメッシュを縫着して肩メッシュ８を形成し、該肩メッシュ８を前記肩布により目隠しする。
そして、背中部分の後身頃４には、背中に適宜幅で矩形の切り欠き部分を形成し、該切り欠き部分を被う細目網状のメッシュを縫着して背中メッシュ９を形成し、該背中メッシュ９を矩形状布地の前記フリル３により被い目隠しする。
前記背中メッシュ９の後身頃４の両側には、面ファスナー１０（ループ）を設け、一方前記フリル３にも前記面ファスナー１０（ループ）に係合する面ファスナー１０（フック）を設ける。
【０００９】
次に、本考案の作業衣の作用について、以下図面に基づいて説明する。
本考案の作業衣は通常の上着と同様にして着ることが出来るが、作業衣の裾（すそ）をズボンのベルト内側に入れる際には、図３に示すように、背中のフリル３を持ち上げて面ファスナー１０の係合を外して前記フリル３がベルト内側に入らないようにする。
そして、作業衣の着衣が終了したら、前記フリル３を降ろして背中ベルト部分を被うと共に面ファスナー１０同士を係合させる。
こうすることによって、作業中は前傾姿勢が多く、背中にゴミや塵が当ることが多いが背中のベルト部分が前記フリル３に被われているため、ベルト部分の隙間からゴミや塵が作業衣中に入り込むことがなくなる。
また、前記フリル３の内側には背中メッシュ９が縫着されているので、通気性が良好であり、背中に汗が溜まるようなことはない。
【００１０】
また、一番汗をかく脇の下部分は、前身頃２、後身頃４及び長袖５に適宜幅でそれぞれ切り欠き部分を形成して脇メッシュ６が縫着されているので、通気性が良好である。
さらに胸部分と肩部分にも夫々胸メッシュ７及び肩メッシュ８を縫着しているので、上半身全体の通気性も良好となっている。
【図面の簡単な説明】
【００１１】
【図１】本考案の作業衣の正面図である。
【図２】本考案の作業衣の背面図である。
【図３】本考案の作業衣のフリルを持ち上げた状態の背面図である。
【符号の説明】
【００１２】
１  胸ポケット
２  前身頃
３  フリル
４  後身頃
５  長袖
６  脇メッシュ
７  胸メッシュ
８  肩メッシュ
９  背中メッシュ
１０  面ファスナー
【図１】
0003105462.tif 000003
【図２】
0003105462.tif 000004
【図３】
0003105462.tif 000005